(57)【要約】【課題】良好な３Ｄ観察状態を提供する。【解決手段】自動立体視ディスプレイは、周辺照射の反射によって引き起こされるクロストークの量についての視覚的表示を観察者に対して提供するように構成されているピクセル化された半透過型空間光変調器を含む。ディスプレイは、バックライトと変調器との間に後方視差障壁を含む。障壁の一部は変調器の第１の領域から透過される光をブロックしてこの領域内のピクセルが周辺照射の反射によってのみ見ることができるようにするスクリーンとして形成される。第２の領域において、ピクセルは透過される光および反射される光の両方で照射される。コントローラは第１の領域のピクセルを最大の輝度に設定し、第２の領域のピクセルを最大の輝度のフラクションに設定する。第１の領域の明度が、第２の領域の明度よりも暗いかまたは同じである場合、クロストークは自動立体視観察を可能にするほど十分に低い。【選択図】　図４
2004054273.tif 000002
【特許請求の範囲】
【請求項１】
少なくとも１つの第１の領域、少なくとも１つの第２の領域、および複数のピクセルを含むピクセル化された半透過型空間光変調器と、
バックライトと、
該変調器の該少なくとも１つの第１の領域を介したディスプレイの自動立体視観察領域への光の透過を実質的に防ぐ構成と、
該少なくとも１つの第１の領域の該ピクセルの少なくともいくつかを、第１の所定の透過率に設定し、該変調器の該少なくとも１つの第２の領域の該ピクセルのうちの少なくともいくつかを、該第１の透過率よりも低い第２の所定の透過率に設定するコントローラと
を含む、自動立体視ディスプレイ。
【請求項２】
前記構成は、前記少なくとも１つの第１の領域を介した前記バックライトからの光の透過を実質的に防ぐスクリーンを含む、請求項１に記載のディスプレイ。
【請求項３】
前記バックライトが、前記少なくとも１つの第１の領域の後に配置される第１の部分と、前記少なくとも１つの第２の領域の後に配置される第２の部分とを含み、前記構成は、該第２の部分とは無関係に、該第１の部分をオフに切り換えるように構成される、請求項１に記載のディスプレイ。
【請求項４】
前記変調器と前記バックライトとの間に視差エレメントを含む、請求項１に記載のディスプレイ。
【請求項５】
前記視差エレメントは、視差障壁を含む、請求項４に記載のディスプレイ。
【請求項６】
前記変調器と前記バックライトとの間に視差エレメントを含み、前記スクリーンは該視差エレメントの一部を構成する、請求項２に記載のディスプレイ。
【請求項７】
前記第１の透過率は、前記ピクセルの最大の透過率と実質的に等しい、請求項１に記載のディスプレイ。
【請求項８】
前記少なくとも１つの第２の領域は、複数の第２の領域を構成する、請求項１に記載のディスプレイ。
【請求項９】
前記コントローラは、前記異なる第２の領域の前記ピクセルを、それぞれ異なる第２の透過率に設定するように構成される、請求項８に記載のディスプレイ。
【請求項１０】
前記異なる第２の透過率のそれぞれの前記ピクセルは、該異なる第２の透過率に対応するクロストーク値の視覚的表現を提供するパターンを形成する、請求項９に記載のディスプレイ。
【請求項１１】
前記異なる第２の透過率のうちいずれか１つを選択するための、手動で操作可能なコントロールを含む、請求項９に記載のディスプレイ。
【請求項１２】
前記コントローラは、前記選択された第２の透過率に対応するクロストーク値を提供するように構成される、請求項１１に記載のディスプレイ。
【請求項１３】
前記コントローラは、前記クロストーク値に従って、前記変調器のために、自動立体視イメージデータのクロストーク補正を行うように構成される、請求項１２に記載のディスプレイ。
【請求項１４】
２次元動作モードを有する、請求項１に記載のディスプレイ。
【請求項１５】
２次元動作モードを有し、前記コントローラは、前記クロストーク値が所定の閾値を超える場合に、該２次元動作モードに切り換えるように構成される、請求項１２に記載のディスプレイ。
【請求項１６】
前記コントローラは、前記少なくとも１つの第２の領域の前記ピクセルを、複数の異なる第２の透過率のうちのいずれか１つに設定するように構成される、請求項１に記載のディスプレイ。
【請求項１７】
前記異なる第２の透過率のそれぞれの前記ピクセルは、該異なる第２の透過率に対応するクロストーク値の視覚的表現を提供するパターンを形成する、請求項１６に記載のディスプレイ。
【請求項１８】
前記異なる第２の透過率のうちいずれか１つを選択するための、手動で操作可能なコントロールを含む、請求項１６に記載のディスプレイ。
【請求項１９】
前記コントローラは、前記選択された第２の透過率に対応するクロストーク値を提供するように構成される、請求項１８に記載のディスプレイ。
【請求項２０】
前記コントローラは、前記クロストーク値に従って、前記変調器のために、自動立体視イメージデータのクロストーク補正を行うように構成される、請求項１９に記載のディスプレイ。
【請求項２１】
２次元動作モードを有し、前記コントローラは、前記クロストーク値が所定の閾値を超える場合に、該２次元動作モードに切り換えるように構成される、請求項１９に記載のディスプレイ。
【請求項２２】
前記第１の領域および第２の領域の前記少なくとも一部のピクセルは、同じ色である、請求項１に記載のディスプレイ。
【請求項２３】
前記変調器は、液晶デバイスを含む、請求項１に記載のディスプレイ。
【請求項２４】
少なくとも１つの第１の領域、少なくとも１つの第２の領域、および複数のピクセルを含むピクセル化された半透過型空間光変調器と、
バックライトと、
動作の第１段階および第２の段階をかわるがわる選択するコントローラであって、該第１の段階の間、該コントローラは、該変調器の該少なくとも１つの第１の領域の少なくとも一部の該ピクセルを、第１の透過率に設定し、該少なくとも１つの第１の領域の該少なくとも一部の該ピクセルのうちの少なくともいくつかを介して第１の輝度の光を供給するように該バックライトを設定し、該第２の段階の間、該コントローラは、該変調器の該少なくとも１つの第２の領域の少なくとも一部の該ピクセルを、該第１の所定の透過率よりも低い第２の透過率に設定し、該少なくとも１つの第２の領域の該少なくとも一部の該ピクセルのうちの少なくともいくつかを介して、該第１の輝度より高い第２の輝度の光を供給するように該バックライトを設定する、コントローラと
を含む、自動立体視ディスプレイ。
【請求項２５】
前記少なくとも１つの第１の領域が、少なくとも部分的に、前記少なくとも１つの第２の領域とオーバーラップする、請求項２４に記載のディスプレイ。
【請求項２６】
前記少なくとも１つの第１の領域および前記少なくとも１つの第２の領域のそれぞれは、前記変調器の表示エリアの実質的に全体を構成する、請求項２５に記載のディスプレイ。
【請求項２７】
前記コントローラは、前記第１の段階と前記第２の段階との間を自動的に切り換えるように構成される、請求項２４に記載のディスプレイ。
【請求項２８】
前記第１の段階と前記第２の段階との間で切り換えるための、手動で操作可能なコントロールを含む、請求項２４に記載のディスプレイ。
【請求項２９】
前記変調器と前記バックライトとの間に視差エレメントを含む、請求項２４に記載のディスプレイ。
【請求項３０】
前記視差エレメントは、視差障壁を含む、請求項２９に記載のディスプレイ。
【請求項３１】
前記第１の透過率は、前記ピクセルの最大の透過率と実質的に等しい、請求項２４に記載のディスプレイ。
【請求項３２】
前記少なくとも１つの第２の領域は、複数の第２の領域を構成する、請求項２４に記載のディスプレイ。
【請求項３３】
前記コントローラは、前記第２の領域の前記ピクセルを、それぞれ異なる第２の透過率に設定するように構成される、請求項３２に記載のディスプレイ。
【請求項３４】
前記異なる第２の透過率のそれぞれの前記ピクセルは、該異なる第２の透過率に対応するクロストーク値の視覚的表現を提供するパターンを形成する、請求項３３に記載のディスプレイ。
【請求項３５】
前記異なる第２の透過率のうちいずれか１つを選択するための、手動で操作可能なコントロールを含む、請求項３３に記載のディスプレイ。
【請求項３６】
前記コントローラは、前記選択された第２の透過率に対応するクロストーク値を提供するように構成される、請求項３５に記載のディスプレイ。
【請求項３７】
前記コントローラは、前記クロストーク値に従って、前記変調器のために、自動立体視イメージデータのクロストーク補正を行うように構成される、請求項３６に記載のディスプレイ。
【請求項３８】
２次元動作モードを有する、請求項２４に記載のディスプレイ。
【請求項３９】
２次元動作モードを有し、前記コントローラは、前記クロストーク値が所定の閾値を超える場合に、該２次元動作モードに切り換えるように構成される、請求項３６に記載のディスプレイ。
【請求項４０】
前記コントローラは、前記少なくとも１つの第２の領域の前記ピクセルを、複数の異なる第２の透過率のうちのいずれか１つに設定するように構成される、請求項２４に記載のディスプレイ。
【請求項４１】
前記異なる第２の透過率のそれぞれの前記ピクセルは、該異なる第２の透過率に対応するクロストーク値の視覚的表現を提供するパターンを形成する、請求項４０に記載のディスプレイ。
【請求項４２】
前記異なる第２の透過率のうちいずれか１つを選択するための、手動で操作可能なコントロールを含む、請求項４０に記載のディスプレイ。
【請求項４３】
前記コントローラは、前記選択された第２の透過率に対応するクロストーク値を提供するように構成される、請求項４２に記載のディスプレイ。
【請求項４４】
前記コントローラは、前記クロストーク値に従って、前記変調器のために、自動立体視イメージデータのクロストーク補正を行うように構成される、請求項４３に記載のディスプレイ。
【請求項４５】
２次元動作モードを有し、前記コントローラは、前記クロストーク値が所定の閾値を超える場合に、該２次元動作モードに切り換えるように構成される、請求項４３に記載のディスプレイ。
【請求項４６】
前記第１の領域および第２の領域の前記少なくとも一部のピクセルは、同じ色である、請求項２４に記載のディスプレイ。
【請求項４７】
前記変調器は、液晶デバイスを含む、請求項２４に記載のディスプレイ。
【発明の詳細な説明】
【０００１】
【発明の属する技術分野】
本発明は、自動立体視ディスプレイに関する。
【０００２】
【従来の技術】
自動立体視ディスプレイは周知であり、このようなディスプレイの例は、特許文献１、特許文献２、特許文献３、特許文献４、特許文献５、特許文献６（特許文献７の対応）、特許文献８に開示されている。特許文献９は、自動立体視モードと二次元モードとの間で切り換え可能なディスプレイの例を開示する。左眼イメージと右眼イメージとの間のクロストークの効果を取り除くかまたは低減するクロストーク補正を提供することができる自動立体視ディスプレイは、特許文献１０に開示されている。このようなディスプレイは、例えば、少なくとも２つの相同のイメージを表すイメージデータに従って光源を変調させる、画素（ピクセル）のアレイを含む液晶空間光変調器に基づく。
【０００３】
特許文献６および特許文献７は、障壁モードとクリアモードとの間で切り換える、液晶デバイスによって実施される視差障壁を開示する。障壁は、透過タイプの空間光変調器に関連付けられて、二次元最大解像度モードに切り換えることができる自動立体視ディスプレイを形成する。
【０００４】
また、透過モードまたは反射モードで動作することができる半透過型ディスプレイが公知である。半透過型液晶ディスプレイの例は、非特許文献１に開示されている。
【０００５】
図１は、公知のタイプの、２次元（２Ｄ）モードおよび３次元（３Ｄ）モードで動作し得る透過型ディスプレイを示す図である。ディスプレイは、２のようなピクセルのアレイを設ける液晶空間光変調器（ＳＬＭ）１を含む。カラーフィルタリング（図示せず）が設けられ、ピクセルは、フルカラーイメージを表示するため、赤、緑および青（ＲＧＢ）ピクセルのグループとして配置される。また、ピクセルは、左（Ｌ）イメージおよび右（Ｒ）イメージのインターリーブされた垂直ストリップを表示するためのカラムとして配置される。
【０００６】
バックライト３は、ＳＬＭ１の後に配置され、光を、２Ｄ／３Ｄスイッチング構成４、パターニングされたリターダー５、ＳＬＭ１を形成する液晶デバイス（ＬＣＤ）の入力偏光子６を介して、ＳＬＭに方向付ける。ＳＬＭ１を通して透過される光は、出力偏光子７を通過する。
【０００７】
動作の３Ｄモードにおいて、切り換え構成４は、直線偏光された光をパターニングされたリターダー５に供給する偏光子として構成される。リターダー５は、通過する光の偏光に影響を与えない８のような領域の第１のグループ、および通過する光の偏光を９０°回転させる比較的狭い領域９で形成される交互領域を含む。偏光子６は、領域８を通過する光をブロックし、領域９を通過する光を透過させ、リターダー５と偏光子６との組合せは、領域９に対応するスリットを有する後方視差障壁を形成する。
【０００８】
視差障壁は、左眼のイメージを表示するピクセルを介して通過する光が、ディスプレイから所定の観察距離に、左眼の観察ウィンドウを形成し、右眼のイメージを表示するピクセルを通過する光が、この観察距離に、右眼の観察ウィンドウを形成するように、ピクセルを通過する光の方向を制御する。
【０００９】
ディスプレイが２Ｄモードの動作に切り換えられる場合、スイッチング構成４は、バックライト３からの光を偏光させないように構成される。パターニングされたリターダー５の構造は、見えなくなることが要求され、バックライト３からの光は、全ての方向でピクセルを通過して、広い視野角を提供する。ＳＬＭは、２Ｄイメージを表示するように制御される。
【００１０】
図２は、図１に示すタイプの自動立体視ディスプレイにおいて用いられ得る半透過型ディスプレイの典型的な例を示す図である。ディスプレイは、液晶層１０と、赤、緑および青のカラーフィルタ１１とを有する液晶デバイスに基づく。マイクロ反射型構造１２は、反射モードの動作のために設けられ、バックライト１３は、透過モードの動作のために設けられる。偏光子／リターダーは、１４および１５で示すように設けられる。
【００１１】
【特許文献１】
ＥＰ　０　６０２　９３４
【特許文献２】
ＥＰ　０　６５６　５５５
【特許文献３】
ＥＰ　０　７０８　３５１
【特許文献４】
ＥＰ　０　７２６　４８２
【特許文献５】
ＥＰ　０　８２９　７４３
【特許文献６】
ＥＰ　０　８３３　１８３
【特許文献７】
ＧＢ　２　３１７　７１０
【特許文献８】
ＥＰ　０　８６０　７２８
【特許文献９】
ＥＰ　０　８２９　７４４
【特許文献１０】
ＥＰ　０　９５３　９６２
【非特許文献１】
Ｍ．Ｋｕｂｏらによる「Ｄｅｖｅｌｏｐｍｅｎｔ　ｏｆ　ａｄｖａｎｃｅｄ　ＴＦＴ　ｗｉｔｈ　ｇｏｏｄ　ｌｅｇｉｂｉｌｉｔｙ　ｕｎｄｅｒ　ａｎｙ　ｉｎｔｅｎｓｉｔｙ　ｏｆ　ａｍｂｉｅｎｔ　ｌｉｇｈｔ」（Ｐｒｏｃｅｅｄｉｎｇｓ　ｏｆ　Ｉｎｆｏｒｍａｔｉｏｎ　Ｄｉｓｐｌａｙｓ　Ｗｏｒｋｓｈｏｐ　１９９９，Ｓｅｎｄａｉ，Ｊａｐａｎ、１８３〜１８６頁）
【００１２】
【発明が解決しようとする課題】
例えば図２に示すタイプの半透過型ディスプレイが、例えば図１に示すタイプの後方視差障壁自動立体視ディスプレイにおいて用いられる場合、ディスプレイは、ＳＬＭの透過モードにおいてのみ、自動立体視モードで用いられ得る。具体的には、左眼および右眼の観察ウィンドウは、パララックス障壁構造を介して、バックライトから透過される光によってのみ生成される。しかし、多くの観察状態において、周辺光は、ディスプレイから観察者の眼に反射され、観察者は、ＳＬＭを介してバックライトから透過される光と、ＳＬＭによって変調され、例えば図２に示すマイクロ反射型構造１２によって反射される周辺光とが混合されたものを見る。左眼イメージおよび右眼イメージによって変調される透過された光は、実質的には、観察者のそれぞれ左眼および右眼のみが見るが、反射された光は、観察者の両眼が見る。これは、３Ｄ効果を低下させるイメージクロストークの大きな原因となり得る。例えば、反射される明度は、透過される光の明度の１０％である場合、これは、クロストークの約１０％である。従って、自動立体視の３Ｄモード動作の間、最も良好な３Ｄ観察状態を提供するため、反射された周辺光は、透過された光と比較して小さくなる必要がある。
【００１３】
反対に、反射された周辺光が、過剰である場合、得られるイメージクロストークは、概して、３Ｄ動作が無効になる程度まで３Ｄ効果を大幅に低下させる。これは、観察者の視覚的なストレスを引き起こし得る。
【００１４】
【課題を解決するための手段】
本発明の第１の局面によると、ピクセル化された空間光変調器およびバックライトを含む自動立体視ディスプレイであって、該変調器が半透過型変調器を含むことを特徴とし、該自動立体視ディスプレイは、該変調器の該少なくとも１つの第１の領域を介したディスプレイの自動立体視観察領域への光の透過を実質的に防ぐ構成と、該少なくとも１つの第１の領域の該ピクセルの少なくともいくつかを、第１の所定の透過率に設定し、該変調器の該少なくとも１つの第２の領域の該ピクセルのうちの少なくともいくつかを、該第１の透過率よりも低い第２の所定の透過率に設定するコントローラとを含むことを特徴とする自動立体視ディスプレイが提供される。
【００１５】
前記構成は、前記少なくとも１つの第１の領域を介した前記バックライトからの光の透過を実質的に防ぐスクリーンを含み得る。
【００１６】
前記構成は、前記少なくとも１つの第１の領域の後に配置され、前記少なくとも１つの第２の領域の後に配置される第２の部分とは無関係に、該第１の部分をオフに切り換えることができる、前記バックライトの第１の部分を含み得る。
【００１７】
本発明の第２の局面によると、ピクセル化された空間光変調器およびバックライトを含む自動立体視ディスプレイであって、該変調器が半透過型変調器を含むことを特徴とし、該自動立体視ディスプレイは、動作の第１段階および第２の段階をかわるがわる選択するコントローラであって、該第１の段階の間、該コントローラは、該変調器の該少なくとも１つの第１の領域の少なくとも一部の該ピクセルを、第１の透過率に設定し、該少なくとも１つの第１の領域の該少なくとも一部の該ピクセルのうちの少なくともいくつかを介して第１の輝度の光を供給するように該バックライトを設定し、該第２の段階の間、該コントローラは、該変調器の該少なくとも１つの第２の領域の少なくとも一部の該ピクセルを、該第１の所定の透過率よりも低い第２の透過率に設定し、該少なくとも１つの第２の領域の該少なくとも一部の該ピクセルのうちの少なくともいくつかを介して、該第１の輝度より高い第２の輝度の光を供給するように該バックライトを設定する、コントローラを含むことを特徴とする自動立体視ディスプレイが提供される。
【００１８】
前記少なくとも１つの第１の領域が、少なくとも部分的に、前記少なくとも１つの第２の領域とオーバーラップし得る。前記少なくとも１つの第１の領域および前記少なくとも１つの第２の領域のそれぞれは、前記変調器の表示エリアの実質的に全体を含み得る。
【００１９】
前記コントローラは、前記第１の段階と前記第２の段階との間を自動的に切り換えるように構成され得る。
【００２０】
前記ディスプレイは、前記第１の段階と前記第２の段階との間で切り換えるための、第１の手動で操作可能なコントロールを含み得る。
【００２１】
前記ディスプレイは、前記変調器と前記バックライトとの間に視差エレメントを含み得る。前記視差エレメントは、視差障壁を含み得る。前記スクリーンは、前記視差エレメントの一部を含み得る。
【００２２】
前記第１の透過率は、前記ピクセルの最大の透過率と実質的に等しくなり得る。
【００２３】
前記少なくとも１つの第２の領域は、複数の第２の領域を含み得る。前記コントローラは、前記異なる第２の領域のピクセルを、異なる第２の透過率に設定するように構成され得る。前記コントローラは、前記少なくとも１つの第２の領域の前記ピクセルを、複数の第２の透過率のうちのいずれか１つに設定するように構成され得る。
【００２４】
前記第２の透過率のそれぞれの前記ピクセルは、該第２の透過率に対応するクロストーク値の視覚的表現を提供するパターンを形成し得る。
【００２５】
前記ディスプレイは、前記異なる第２の透過率のうちいずれか１つを選択するための、第２の手動で操作可能なコントロールを含み得る。前記コントローラは、前記選択された第２の透過率に対応する、あるクロストーク値または該クロストーク値を提供するように構成され得る。前記コントローラは、前記クロストーク値に従って、前記変調器のために、自動立体視イメージデータのクロストーク補正を行うように構成され得る。
【００２６】
前記ディスプレイは、２次元動作モードを有し得る。前記コントローラは、前記クロストーク値が所定の閾値を超える場合に、該２次元動作モードに切り換えるように構成され得る。
【００２７】
前記第１の領域および第２の領域の前記少なくとも一部のピクセルは、同じ色であり得る。
【００２８】
前記変調器は、液晶デバイスを含み得る。
【００２９】
本発明の自動立体視ディスプレイは、少なくとも１つの第１の領域、少なくとも１つの第２の領域、および複数のピクセルを含むピクセル化された半透過型空間光変調器と、バックライトと、上記変調器の上記少なくとも１つの第１の領域を介したディスプレイの自動立体視観察領域への光の透過を実質的に防ぐ構成と、上記少なくとも１つの第１の領域の上記ピクセルの少なくともいくつかを、第１の所定の透過率に設定し、上記変調器の上記少なくとも１つの第２の領域の上記ピクセルのうちの少なくともいくつかを、上記第１の透過率よりも低い第２の所定の透過率に設定するコントローラとを含む。
【００３０】
上記構成は、上記少なくとも１つの第１の領域を介した上記バックライトからの光の透過を実質的に防ぐスクリーンを含んでもよい。
【００３１】
上記バックライトが、上記少なくとも１つの第１の領域の後に配置される第１の部分と、上記少なくとも１つの第２の領域の後に配置される第２の部分とを含み、上記構成は、上記第２の部分とは無関係に、上記第１の部分をオフに切り換えるように構成されてもよい。
【００３２】
上記変調器と上記バックライトとの間に視差エレメントを含んでもよい。
【００３３】
上記視差エレメントは、視差障壁を含んでもよい。
【００３４】
上記変調器と上記バックライトとの間に視差エレメントを含み、上記スクリーンは上記視差エレメントの一部を構成してもよい。
【００３５】
上記第１の透過率は、上記ピクセルの最大の透過率と実質的に等しくてもよい。
【００３６】
上記少なくとも１つの第２の領域は、複数の第２の領域を構成してもよい。
【００３７】
上記コントローラは、上記異なる第２の領域の上記ピクセルを、それぞれ異なる第２の透過率に設定するように構成されてもよい。
【００３８】
上記異なる第２の透過率のそれぞれの上記ピクセルは、上記異なる第２の透過率に対応するクロストーク値の視覚的表現を提供するパターンを形成してもよい。
【００３９】
上記異なる第２の透過率のうちいずれか１つを選択するための、手動で操作可能なコントロールを含んでもよい。
【００４０】
上記コントローラは、上記選択された第２の透過率に対応するクロストーク値を提供するように構成されてもよい。
【００４１】
上記コントローラは、上記クロストーク値に従って、上記変調器のために、自動立体視イメージデータのクロストーク補正を行うように構成されてもよい。
【００４２】
２次元動作モードを有してもよい。
【００４３】
２次元動作モードを有し、上記コントローラは、上記クロストーク値が所定の閾値を超える場合に、上記２次元動作モードに切り換えるように構成されてもよい。
【００４４】
上記コントローラは、上記少なくとも１つの第２の領域の上記ピクセルを、複数の異なる第２の透過率のうちのいずれか１つに設定するように構成されてもよい。
【００４５】
上記異なる第２の透過率のそれぞれの上記ピクセルは、上記異なる第２の透過率に対応するクロストーク値の視覚的表現を提供するパターンを形成してもよい。
【００４６】
上記異なる第２の透過率のうちいずれか１つを選択するための、手動で操作可能なコントロールを含んでもよい。
【００４７】
上記コントローラは、上記選択された第２の透過率に対応するクロストーク値を提供するように構成されてもよい。
【００４８】
上記コントローラは、上記クロストーク値に従って、上記変調器のために、自動立体視イメージデータのクロストーク補正を行うように構成されてもよい。
【００４９】
２次元動作モードを有し、上記コントローラは、上記クロストーク値が所定の閾値を超える場合に、上記２次元動作モードに切り換えるように構成されてもよい。
【００５０】
上記第１の領域および第２の領域の上記少なくとも一部のピクセルは、同じ色であってもよい。
【００５１】
上記変調器は、液晶デバイスを含んでもよい。
【００５２】
本発明の自動立体視ディスプレイは、少なくとも１つの第１の領域、少なくとも１つの第２の領域、および複数のピクセルを含むピクセル化された半透過型空間光変調器と、バックライトと、動作の第１段階および第２の段階をかわるがわる選択するコントローラであって、上記第１の段階の間、上記コントローラは、上記変調器の上記少なくとも１つの第１の領域の少なくとも一部の上記ピクセルを、第１の透過率に設定し、上記少なくとも１つの第１の領域の上記少なくとも一部の上記ピクセルのうちの少なくともいくつかを介して第１の輝度の光を供給するように上記バックライトを設定し、上記第２の段階の間、上記コントローラは、上記変調器の上記少なくとも１つの第２の領域の少なくとも一部の上記ピクセルを、上記第１の所定の透過率よりも低い第２の透過率に設定し、上記少なくとも１つの第２の領域の上記少なくとも一部の上記ピクセルのうちの少なくともいくつかを介して、上記第１の輝度より高い第２の輝度の光を供給するように上記バックライトを設定する、コントローラとを含む。
【００５３】
上記少なくとも１つの第１の領域が、少なくとも部分的に、上記少なくとも１つの第２の領域とオーバーラップしてもよい。
【００５４】
上記少なくとも１つの第１の領域および上記少なくとも１つの第２の領域のそれぞれは、上記変調器の表示エリアの実質的に全体を構成してもよい。
【００５５】
上記コントローラは、上記第１の段階と上記第２の段階との間を自動的に切り換えるように構成されてもよい。
【００５６】
上記第１の段階と上記第２の段階との間で切り換えるための、手動で操作可能なコントロールを含んでもよい。
【００５７】
上記変調器と上記バックライトとの間に視差エレメントを含んでもよい。
【００５８】
上記視差エレメントは、視差障壁を含んでもよい。
【００５９】
上記第１の透過率は、上記ピクセルの最大の透過率と実質的に等しくてもよい。
【００６０】
上記少なくとも１つの第２の領域は、複数の第２の領域を構成してもよい。
【００６１】
上記コントローラは、上記第２の領域の上記ピクセルを、それぞれ異なる第２の透過率に設定するように構成されてもよい。
【００６２】
上記異なる第２の透過率のそれぞれの上記ピクセルは、上記異なる第２の透過率に対応するクロストーク値の視覚的表現を提供するパターンを形成してもよい。
【００６３】
上記異なる第２の透過率のうちいずれか１つを選択するための、手動で操作可能なコントロールを含んでもよい。
【００６４】
上記コントローラは、上記選択された第２の透過率に対応するクロストーク値を提供するように構成されてもよい。
【００６５】
上記コントローラは、上記クロストーク値に従って、上記変調器のために、自動立体視イメージデータのクロストーク補正を行うように構成されてもよい。
【００６６】
２次元動作モードを有してもよい。
【００６７】
２次元動作モードを有し、上記コントローラは、上記クロストーク値が所定の閾値を超える場合に、上記２次元動作モードに切り換えるように構成されてもよい。
【００６８】
上記コントローラは、上記少なくとも１つの第２の領域の上記ピクセルを、複数の異なる第２の透過率のうちのいずれか１つに設定するように構成されてもよい。
【００６９】
上記異なる第２の透過率のそれぞれの上記ピクセルは、上記異なる第２の透過率に対応するクロストーク値の視覚的表現を提供するパターンを形成してもよい。
【００７０】
上記異なる第２の透過率のうちいずれか１つを選択するための、手動で操作可能なコントロールを含んでもよい。
【００７１】
上記コントローラは、上記選択された第２の透過率に対応するクロストーク値を提供するように構成されてもよい。
【００７２】
上記コントローラは、上記クロストーク値に従って、上記変調器のために、自動立体視イメージデータのクロストーク補正を行うように構成されてもよい。
【００７３】
２次元動作モードを有し、上記コントローラは、上記クロストーク値が所定の閾値を超える場合に、上記２次元動作モードに切り換えるように構成されてもよい。
【００７４】
上記第１の領域および第２の領域の上記少なくとも一部のピクセルは、同じ色であってもよい。
【００７５】
上記変調器は、液晶デバイスを含んでもよい。
【００７６】
従って、反射される周辺光およびイメージクロストークが評価されることを可能にする構成が提供される。これは、ディスプレイの観察者に、いつ周辺照射が所望しないレベルに達したかを示すために用いられ得る。この情報は、クロストークの現在のレベルのクロストーク補正を提供するために用いられ得る。あるいは、クロストークの所望されないレベルが示される場合、ディスプレイは、自動立体視モードから、例えば、クロストークとは関係がない２Ｄモードに切り換えられ得る。このような２Ｄモードにおいては、反射される周辺光およびクロストークを評価することは不要であり、ディスプレイは、２Ｄモードの間は、何らかの表示を示す必要はない。
【００７７】
【発明の実施の形態】
図面を参照しながら、例示を目的として、本発明をさらに説明する。
【００７８】
図３に、ディスプレイ２０によって表示されるべき２Ｄおよび３Ｄイメージデータを供給するコンピュータ２１に接続される自動立体視ディスプレイ２０を示す。ディスプレイ２０は、半透過型後方視差障壁タイプの液晶デバイス２２を含む。ＬＣＤ２２は、コンピュータマウス２４のようなポインティングデバイスの形で、手動で操作可能なコントローラ２３に接続される。コントローラ２３は、コンピュータのグラフィックスインターフェースまたはカード２５からイメージデータを受け取る。コンピュータも、マウス２６の形のポインティングデバイスを有する。
【００７９】
図３においては、ディスプレイ２０は、コンピュータ２１から分けられているが、ディスプレイは、コンピュータがコントローラ２３として機能を果たし、マス２４が必要とされないような状態で、コンピュータ内に組み込まれてもよい。あるいは、ディスプレイは、コンピュータに接続されずに、独立して動作するか、または、コンピュータ以外の機器に接続されてもよい。
【００８０】
コンピュータ２１は、イメージデータを、ディスプレイに供給し、イメージデータを生成し得る。代替的に、または、それに加えて、デジタル３Ｄカメラなどからのイメージデータは、コンピュータ２１に供給され得る。その後、コンピュータ２１は、データを、必要に応じて処理し、ディスプレイ２０に供給する。また、コンピュータ２１はイメージを提供し、データを制御して、ＬＣＤ２２と協働して、マウス２４および／またはマウス２６と協働する、グラフィカルユーザインターフェースを提供する。
【００８１】
ＬＣＤ２２の一例が、図４に、図式的に示される。これは、反射層３０の形で、マイクロ反射構造を有する、図２に示すタイプのＬＣＤであり得る。後方視差障壁は、３１で示され、バックライトは１３で示される。
【００８２】
視差障壁３１は、互いに平行に配置され、等しい間隔が開けられた、透明な細長スリットを含む。しかし、障壁３１は、ＬＣＤ２２の第１の領域３３（「エリア１」）を介するバックライト１３からの光の透過を遮る不透明なスクリーンを形成する領域３２を有する。第１の領域３３は、バックライト１３からの光から遮蔽されていない第２の領域３４（「エリア２」）によって囲まれている。従って、ＬＣＤ２２の前面からの周辺照射３５は、第１の領域３３および第２の領域３４を介して反射層３０によって反射され、バックライト１３からの透過された照射は、第２の領域３４を通過するが、スクリーン３２によって遮られ、第１の領域３３は通過しない。
【００８３】
別の実施形態において、バックライトは、第１の領域３３の後方に第１の部分を有し、第１の部分は、第２の領域３４の後方のバックライトの第２の部分とは無関係にオフに切り換えられ得る。従って、不透明なスクリーン３２は必要なく、省略されてもよい。
【００８４】
周辺の反射された光のレベルを示し、これに従って、ディスプレイの動作の透過型自動立体視３Ｄモードに影響を与え得るクロストークを示すため、第１の領域３３におけるＬＣＤ２２のピクセルは、コントローラ２３によって、最大の透過率に設定される。例えば、赤、緑、青のピクセルを有するカラーディスプレイの場合、１色のピクセル、例えば赤のピクセルが、最大の輝度に設定され、緑および青のピクセルは、最小の輝度または透過率に設定される。第２の領域３４における緑および青のピクセルは、コントローラ２３によって最小の透過率に設定され、第２の領域３４における赤のピクセルは、コントローラ２３によって最大の透過率のフラクションＡに設定される。
【００８５】
第１の領域３３を介して反射される周辺光の輝度は、Ｒで表され、第２の領域３４から、トータルの、反射され、透過された光の輝度は、（Ｔ＋Ｒ）Ａで表される。ただし、Ｔは、領域３４を介して透過された光の輝度を表す。従って、第１の領域３３からの光の輝度が、第２の領域３４からの光の輝度と等しい場合、以下の条件があてはまる。
【００８６】
Ｒ＝Ａ（Ｔ＋Ｒ）
これは、以下のように書き換えられ得る。
【００８７】
【数１】
2004054273.tif 000003
Ａの値は、反射された光が透過された光（Ｒ／Ｔ）のある部分と等しい場合に第１および第２の領域が同じ輝度になるようにみえる、第２の領域３４のフラクショナル輝度または透過率を表す。また、反射された光によって加えられるクロストークのレベルは、Ａによって求められ得る。ディスプレイが自動立体視３Ｄモードで動作している場合、反射された光は、それぞれの眼が見ている正確なイメージの輝度を高めるが、また、反射された光が、他の眼に対して意図されているイメージを表示しているピクセルから、それぞれの眼に対して可視であるので、クロストークを誘発する。
【００８８】
図５は、第１および第２の領域の外観の４つの例を示す図である。観察者は、これらの領域が明瞭な表示を提供するように構成されるように、反射された周辺光の量が問題となるものであるか否かを評価する必要がある。（ａ）、（ｂ）、および（ｄ）は、「アイコン」の形であり、これら自体に特定の意味はない。しかし、これらは、観察者によって行われる現行の状態の明確な評価を可能にする。（ｃ）で示される形状は、テキスト文字「３Ｄ」の形であり、ディスプレイが３Ｄ動作モードにあることを示す。さらなる他の例として、形状は、数字の形であってもよい。これは、例えば、フラクショナル輝度Ａを表し得、従って、動作の透過自動立体視３Ｄモードにおいて存在し得るクロストークの値を表し得る。
【００８９】
図６は、ディスプレイから反射されている周辺光の量に依存して、領域がどのように見えているかを図式的に示す図である。図５に示すアイコン（ａ）について、周辺のライティングの異なる３つの状態について示されている。図６（ａ）において、エリア１は、観察者にとって、エリア２よりも暗く見えている。フラクショナル輝度Ａが、自動立体視観察の間に許容され得る最大量のクロストークを表すと設定されている場合、この外観は、ディスプレイが自動立体視３Ｄモードで用いられ続けることができることを観察者に対して示す。図６（ｂ）は、第１および第２の領域が同じ外観を有する状態、すなわち、ライティング輝度が同じである状態を示す。第１および第２の領域が、観察者にとってこのように見える場合、反射される周辺光の量は、ディスプレイの自動立体視観察の限界である。
【００９０】
図６（ｃ）は、第１の領域が第２の領域よりも明るく見える状態を示す。これは、反射される周辺光が比較的大量である場合に対応する。この外観は、反射された周辺光によって引き起こされるクロストークの量が許容できないほど高く、ディスプレイが自動立体視モードで用いられるべきではないことを表す。
【００９１】
ディスプレイは、反射された周辺光のレベルおよび自動立体視使用の間に発生し得るクロストークのレベルに関して、現在の観察状態について観察者に示すだけである。ディスプレイの使用を停止するか、ディスプレイを非自動立体視モード、例えば、透過または反射２Ｄモード動作に切り換えるか否かについての判断は、観察者にまかされ得る。例えば、第１および第２の領域の外観を観察する結果として、観察者は、マウス２４または２６を用いて、グラフィカルユーザインターフェースとインタラクトして、動作のモードを変化させ得る。表示モードを変えるための手動で操作可能なボタンが設けられ得、このボタンは、第１の領域と同じ外観のラベルが付いているか、または、このようなラベルの隣にあり、動作モードが変えられる必要があるときにボタンを操作するようにユーザを導く。例えば、ラベルは、第１および第２の領域と同じパターンを有し得る。特定の例において、インジケータ領域は、図５（ｃ）に示すパターンを有し得、ラベルは、同じパターンを有し得る。また、ラベルは、インジケータが良好な状態を示す場合、またはインジケータが悪い状態を示す場合のいずれかに、インジケータエリアと同じ色であり得る。
【００９２】
良好な状態が示されるときにラベルの色がインジケータと同じである場合、ユーザは、インジケータとラベルとが異なるときに、２Ｄモードに戻すためにボタンを用い得る。あるいは、悪い状態が示されるときにラベルの色がインジケータと同じである場合、ユーザは、インジケータとラベルとが同じであるときに、２Ｄモードに戻すためにボタンを用い得る。あるいは、観察者は、以下に説明するように、ディスプレイとさらなるインタラクションを有し得る。
【００９３】
図７に、ディスプレイが周辺ライティング状態に従って操作され得る２つの方法を示す。図７（ａ）において「受動的」インタラクションが示され、観察者または視聴者が、４０で、自動立体視観察について許容できる最大のクロストークを選択する。例えば、観察者は、ディスプレイのグラフィカルユーザインターフェースによって提供されるコントロールを用い、恐らくは、キーボード（図示せず）も用いて、クロストークの最大値をパーセンテージで設定する。その後、４１に示すように、コントローラ２３は、適切な輝度値Ａを、第２の領域３４のピクセルに適用し、４２に示すように、観察者は、上述したように、第１および第２の領域の外観に従って、自動立体視モードでディスプレイを用いるか否かを決定する。工程４０は、例えば、コントローラ２３が製造業者によって行われる選択に基づいてＴ／Ｒの値を判定するなど、異なっていてもよい。あるいは、工程４０は、観察者が異なる選択肢を一巡し、例えばマウス２４を用いて、選択したものをコントローラ２３に示すように行われてもよい。
【００９４】
さらなる可能性は、ディスプレイ上の異なる位置に設けられるように配置された、複数の第１および第２の領域があるということである。この第１および第２の領域は、例えば、クロストークの最大値の可能な選択肢を表す、異なるアイコンまたは異なる数として構成される。観察者は、いずれの「インジケータ」が、第１および第２の領域の明度が同じか、最も近いようなインジケータであるかを判断し、ディスプレイとのさらなるインタラクションが可能である場合に、マウス２４または２６を用いて、適切なアイコンまたはクロストーク値を指し、選択する。さらなる他の例として、第２の領域３４は、別個の値または実質的に連続的な値として見える、クロストーク値の範囲を表すスケールの形に配置され得る。観察者は、スケールのいずれの部分が、第１の領域の隣接部分に、最も明度が近いのか判断することができ、４２に示す決定を行うのか、マウスを用いて、ディスプレイへのクロストークの現在値を示すかのいずれかである。
【００９５】
図７（ｂ）は、ディスプレイに示されるクロストークのレベルが最大閾値よりも下であるという条件で、クロストーク補正が適用される別の技術を示す。４３において、観察者は、ディスプレイに対して、マウス２４または２６によって、または、任意の他の手動で操作可能なコントロールによって、現行の周辺照射によって引き起こされるクロストークの現在のレベルを示す。工程４４において、コントローラ２３は、例えば、特許文献１０に開示されているクロストーク補正技術に従って、コンピュータ２１から供給されるイメージデータを処理することによってクロストーク補正を適用する。同時に、コントローラは、適切な輝度Ａを、選択されたクロストークレベルに対応する第２の領域３４に適用する。
【００９６】
工程４５において、観察者は、コントローラ２３によって提供されるクロストーク補正が、現行の状態に適切であるか否かを、第１および第２の領域の外観から判定する。補正が適切でない場合、クロストークレベルの選択が、４６において繰り返され、適切なクロストーク補正が得られるか、または、例えば、クロストークが過剰なため、得られないことが分かるまで、再評価が行われる。適用され得る補正の量の上限は、イメージに依存するか、または、例えば、実際に用いられるクロストーク補正技術に依存してディスプレイの設計において設定され得る。
【００９７】
動作の別のモードにおいて、パラメータＡは、周辺光の明度の最大レベルよりも低い値に設定され得、第１の領域３３において、ピクセルを、最大の明度に設定する代わりに、減衰率またはパラメータＢに従った明度または透過率に設定され得る。その後、パラメータＢは、明度が、観察者にとって、第１および第２の領域と適合するように見えるまで、調節され得る。領域の明度が同じであるように見える場合、以下の条件があてはまる。
【００９８】
ＢＲ＝Ａ（Ｔ＋Ｒ）
これは、以下のように書き換えられ得る。
【００９９】
【数２】
2004054273.tif 000004
クロストーク値は、Ａ／Ｂの値によって求められる。
【０１００】
第１および第２の領域によって形成される「明度」インジケータは、ディスプレイのエリア内に位置し得、特許文献８に開示されているタイプの視覚的位置インジケータを提供する。このような視覚的位置インジケータは、ディスプレイによって表示されるイメージの自動立体視観察のため、観察者がディスプレイに対して正しい位置にいるか否かを示すために、観察者によって用いられる。視覚的位置インジケータは、観察者にとって可視である領域を占め、観察者が正しい位置にいる場合に、観察者にとって実質的に見えない表示を提供する。表示は、観察者の観察位置が正しくない場合にのみ、見えるようになり、例えば、逆立体視観察が起きるようにする。従って、このようなインジケータは、光を立体視観察のための通常の観察位置に向けず、明度表示を提供するために用いられ得る。
【０１０１】
図８に示すように、視覚的位置インジケータエリアにおける赤のピクセルのみが、位置表示を提供するために用いられる。しかし、ディスプレイの構造は、他の色のピクセルが、図８（ａ）に示す障壁の視覚的位置インジケータ領域を介して見られるようなものである。視覚的位置インジケータが赤のピクセルを利用しているとすると、青および緑のピクセルの一部または全ては、明度が減衰する因子Ａで点灯され得、図８（ｂ）で「エリア２」として示される領域が形成される。図８（ｂ）において「エリア１」として識別されるピクセルは、最大の明度で点灯される。「エリア２」ピクセルは、透過される光を、視差障壁３１の対応するスリットを介して受け、「エリア１」ピクセルは、障壁３１の不透明領域の上にあり、バックライト１３から任意の光を受けない。例えば、エリア２のピクセルは、スクリーンの端に位置するピクセルであり、エリア１ピクセルは、スクリーンの端以外の場所に位置するピクセルであり得る。また、エリア１を形成するピクセルの数をより多くするため、視覚的位置インジケータを形成する障壁３１のスリットの一部は、不透明になり、バックライト１３からの光の透過を防ぐように「省略」され得る。
【０１０２】
上記の実施形態において、第１および第２の領域３３および３４は、ＬＣＤ２２上の空間的に別個の領域として提供される。他の組の実施形態においては、これらの領域は、仮で規定され得る。このような実施形態において、スクリーン３２は、不必要であり、従って存在しない。代わりに、コントローラ２３は、動作の２つの段階の間で、少なくとも、クロストーク評価モードの間にＬＣＤ２２を切り換えるように構成される。第１の段階において、全てのピクセルは、最大の明度で点灯され、バックライト１３はオフに切り換えられる。第２の段階において、全てのピクセルは、パラメータＡによって特定される明度に設定され、バックライト１３はオンに切り換えられ得る。状態を切り換えることは、コントローラ２３によって、手動で、または自動的に行われ得る。
【０１０３】
同じ空間的領域、例えば、表示エリア全体などが動作の２つの段階の間、クロストーク識別のために用いられる場合、観察者が、クロストークのレベルが立体視観察において許容できるか否かを評価するため、ディスプレイがより暗くなるか、同じ明度である必要があるときを表示する必要がある。
【０１０４】
あるいは、より限定された領域が用いられて、例えば、観察者が実際のクロストーク量を評価し、これをディスプレイに知らせることを可能にするクロストーク表示が提供され得るので、例えば、上述したように、自動クロストーク補正が提供され得るか、ディスプレイが、自動立体視モードから、例えば、２Ｄモードに自動的に切り換えられ得る。
【０１０５】
【発明の効果】
本発明によれば、反射される周辺光およびイメージクロストークが評価されることを可能にする構成が提供される。これは、ディスプレイの観察者に、いつ周辺照射が所望しないレベルに達したかを示すために用いられ得る。この情報は、クロストークの現在のレベルのクロストーク補正を提供するために用いられ得る。あるいは、クロストークの所望されないレベルが示される場合、ディスプレイは、自動立体視モードから、例えば、クロストークとは関係がない２Ｄモードに切り換えられ得る。このような２Ｄモードにおいては、反射される周辺光およびクロストークを評価することは不要であり、ディスプレイは、２Ｄモードの間は、何らかの表示を示す必要はない。
【図面の簡単な説明】
【図１】図１は、公知のタイプの後方視差障壁自動立体視ディスプレイを示す断面図である。
【図２】図２は、公知のタイプの半透過型液晶ディスプレイを示す断面図である。
【図３】図３は、本発明の実施形態を構成する自動立体視ディスプレイを示す模式的ブロック図である。
【図４】図４は、図３のディスプレイの半透過型ディスプレイパネルを示す図である。
【図５】図５は、異なる形の明度インジケータの例を示す図である。
【図６】図６は、周辺照射の異なるレベルについての明度インジケータの外観を示す図である。
【図７】図７は、図３のディスプレイを動作させる２つの異なるモードのフローチャートである。
【図８】図８は、視覚的位置インジケータ内で形成される明度インジケータを示す断面図である。
【符号の説明】
１３　バックライト
２２　ＬＣＤ
３０　反射層
３１　障壁
３２　スクリーン
３３　第１の領域
３４　第２の領域
３５　周辺照射
【図１】
2004054273.tif 000005
【図２】
2004054273.tif 000006
【図３】
2004054273.tif 000007
【図４】
2004054273.tif 000008
【図５】
2004054273.tif 000009
【図６】
2004054273.tif 000010
【図７】
2004054273.tif 000011
【図８】
2004054273.tif 000012